(57)【特許請求の範囲】
【請求項１】
点火コイルに通電する電流を制御信号を受けてスイッチング素子によりオン・オフ制御し、前記点火コイルの点火状態を外部に出力する出力端子を備えた内燃機関用点火装置において、
前記電流を電圧に変換する電圧変換手段と、ここで前記変換された電圧をセンス電圧と呼び、
立ち上がり時の前記センス電圧を検出する第１検出基準電圧と該第１の検出基準電圧より低い電圧の第１復帰基準電圧の二つの基準電圧を有し前記センス電圧と前記二つの基準電圧のそれぞれと比較して第１出力信号を出力するヒステリシス特性を有する第１比較手段と、
立ち上がり時の前記センス電圧を検出する第２検出基準電圧と該第２の検出基準電圧より低く前記第１検出基準電圧より高い電圧の第２復帰基準電圧の二つの基準電圧を有し前記センス電圧と前記二つの基準電圧のそれぞれと比較して第２出力信号を出力するヒステリシス特性を有する第２比較手段と、
前記第１比較手段から出力される前記第１出力信号と前記第２比較手段から出力される第２出力信号が共に入力され第３出力信号を出力する出力手段と、
該出力手段から出力される第３出力信号によって前記出力端子のオンオフを制御するスイッチ手段と、
を有することを特徴とする内燃機関用点火装置。
【請求項２】
前記第１比較手段が第１ヒステリシスコンパレータからなり、
該第１ヒステリシスコンパレータが、
第１コンパレータと、該第１コンパレータの出力が入力される第１インバータと、該第１インバータの出力が入力される第２インバータと、前記第１検出基準電圧を前記第１コンパレータのマイナス端子に接続する第１アナログスイッチと、前記第１復帰基準電圧を前記第１コンパレータのマイナス端子に接続する第２アナログスイッチとをそれぞれ有し、
前記第１コンパレータのプラス端子に前記センス電圧を入力し、前記第１インバータの出力信号で前記第１アナログスイッチをオン・オフ動作させ、前記第２インバータの出力信号で前記第２アナログスイッチをオン・オフ動作させ、前記第１アナログスイッチのオン・オフ動作と前記第２アナログスイッチのオン・オフ動作が逆相関係にあり、前記センス電圧が前記第１復帰基準電圧より低い時に前記第１のアナログスイッチはオン状態であることを特徴とする請求項１に記載の内燃機関用点火装置。
【請求項３】
前記第２比較手段が第２ヒステリシスコンパレータからなり、
該第２ヒステリシスコンパレータが、
第２コンパレータと、該第２コンパレータの出力が入力される第３インバータと、該第３インバータの出力が入力される第４インバータと、前記第２検出基準電圧を前記第２コンパレータのマイナス端子に接続する第３アナログスイッチと、前記第２復帰基準電圧を前記第２コンパレータのマイナス端子に接続する第４アナログスイッチとをそれぞれ有し、
前記第２コンパレータのプラス端子に前記センス電圧を入力し、前記第３インバータの出力信号で前記第３アナログスイッチをオン・オフ動作させ、前記第４インバータの出力信号で前記第４アナログスイッチをオン・オフ動作させ、前記第３アナログスイッチのオン・オフ動作と前記第４アナログスイッチのオン・オフ動作が逆相関係にあり、前記センス電圧が前記第２復帰基準電圧より低い時に前記第３のアナログスイッチはオン状態であ        ることを特徴とする請求項１に記載の内燃機関用点火装置。
【請求項４】
前記電圧変換手段が抵抗であり、前記出力手段が前記第１比較手段から出力される前記第１出力信号と前記第２比較手段から出力される前記第２出力信号の排他的論理和を出力するエクスクルシブＯＲ回路であり、前記スイッチ手段がＭＯＳＦＥＴであることを特徴とする請求項１から３のいずれか一項に記載の内燃機関用点火装置。
【請求項５】
前記第１および第２比較手段が、第１および第２ヒステリシスコンパレータからなり、前記第１ヒステリシスコンパレータが、第１コンパレータと、該第１コンパレータの出力信号が入力される第１インバータと、該第１インバータの出力信号が入力される第２インバータと、前記第１検出基準電圧を前記第１コンパレータのマイナス端子に接続する第１アナログスイッチと、前記第１復帰基準電圧を前記第１コンパレータのマイナス端子に接続する第２アナログスイッチと、
前記第２ヒステリシスコンパレータが、第２コンパレータと、該第２コンパレータの出力信号が入力される第３インバータと、該第３インバータの出力信号が入力される第４インバータと、前記第２検出基準電圧を前記第２コンパレータのマイナス端子に接続する第３アナログスイッチと、前記第２復帰基準電圧を前記第２コンパレータのマイナス端子に接続する第４アナログスイッチと、
をそれぞれ有し、前記第１コンパレータのプラス端子に前記センス電圧を入力し、前記第１インバータの出力信号で前記第１アナログスイッチをオン・オフ動作させ、前記第２インバータの出力信号で前記第２アナログスイッチをオン・オフ動作させ、前記第１アナログスイッチのオン・オフ動作と前記第２アナログスイッチのオン・オフ動作が逆相関係にあり、前記センス電圧が前記第１復帰基準電圧より低い時に前記第１のアナログスイッチはオン状態であり、
前記第２コンパレータのプラス端子に前記センス電圧を入力し、前記第３インバータの出力信号で前記第３アナログスイッチをオン・オフ動作させ、前記第４インバータの出力信号で前記第４アナログスイッチをオン・オフ動作させ、前記第３アナログスイッチのオン・オフ動作と前記第４アナログスイッチのオン・オフ動作が逆相関係にあり、前記センス電圧が前記第２復帰基準電圧より低い時に前記第３のアナログスイッチはオン状態であり、
前記第１検出基準電圧と前記第２復帰基準電圧を同一にすることを特徴とする請求項１に記載の内燃機関用点火装置。
【請求項６】
前記第２比較手段が前記請求項３に記載の第２比較手段であり、前記第１比較手段が、二つのマイナス入力を切り替えて比較に使う反転入力切替型コンパレータと、該反転入力切替型コンパレータに切替信号を送信し、前記第２ヒステリシスコンパレータの出力信号と前記反転入力切替型コンパレータの出力信号が共に入力され、前記点火コイルの電流を制御するスイッチング素子をオン・オフさせる制御信号と同期する信号が入力される反転入力切替制御回路からなり、前記反転入力切替型コンパレータの検出基準電圧が前記第１検出基準電圧であり、前記反転入力切替型コンパレータの復帰基準電圧がグランド電位であることを特徴とする請求項１に記載の内燃機関用点火装置。
【請求項７】
前記第２比較手段が前記請求項３に記載の第２比較手段であり、前記第１比較手段が前記請求項６に記載の第１比較手段であり、前記第１比較手段を構成する前記反転入力切替型コンパレータの検出基準電圧と前記第２ヒステリシスコンパレータの前記第２復帰基準電圧を同一にし、前記反転入力切替型コンパレータの前記復帰基準電圧をグランド電位にすることを特徴とする請求項１に記載の内燃機関用点火装置。
【請求項８】
前記反転入力切替型コンパレータが、第３コンパレータと、前記第１検出基準電圧を前記第３コンパレータのマイナス端子に接続する第５アナログスイッチと、前記第１復帰基準電圧を前記第３コンパレータのマイナス端子に接続する第６アナログスイッチとをそれぞれ有し、前記第３コンパレータのプラス端子に前記センス電圧を入力し、前記反転入力切替制御回路の出力信号で前記第５アナログスイッチをオン・オフ動作させ、前記反転入力切替制御回路の出力信号を第７インバータによって反転した信号で前記第６アナログスイッチをオン・オフ動作させ、前記第５アナログスイッチのオン・オフ動作と前記第６アナログスイッチのオン・オフ動作が逆相関係にあり、前記センス電圧がグランド電位である時に前記第５のアナログスイッチはオン状態であることを特徴とする請求項６または７に記載の内燃機関用点火装置。
【請求項９】
前記反転入力切替制御回路が、インバータ回路、ＡＮＤ回路およびＯＲ回路からなる論理回路であることを特徴とする請求項６乃至８に記載の内燃機関用点火装置。
【請求項１０】
前記第１比較手段が、第３ヒステリシスコンパレータからなり、
該第３ヒステリシスコンパレータが、
第４コンパレータと、該第４コンパレータの出力信号が入力される第７インバータと、該第７インバータの出力信号が入力される第８インバータと、前記第１検出基準電圧を前記第４コンパレータのプラス端子に接続する第７アナログスイッチと、前記第２復帰基準電圧を前記第４コンパレータのプラス端子に接続する第８アナログスイッチとをそれぞれ有し、前記第４コンパレータのマイナス端子に前記センス電圧を入力し、前記第８インバータの出力信号で前記第７アナログスイッチをオン・オフ動作させ、前記第７インバータの出力信号で前記第８アナログスイッチをオン・オフ動作させ、前記第７アナログスイッチのオン・オフ動作と前記第８アナログスイッチのオン・オフ動作が逆相関係にあり、前記センス電圧が前記第２復帰基準電圧より低い時に前記第７アナログスイッチはオン状態であり、
前記出力手段が、ＮＯＲ回路であることを特徴とする請求項１に記載の内燃機関用点火装置。
【発明の詳細な説明】
【技術分野】
【０００１】
この発明は、各種車両に搭載される内燃機関用点火装置に関する。
【背景技術】
【０００２】
従来より内燃機関用点火装置（イグナイタと称す）は、点火コイルをＩＧＢＴなどのトランジスタで駆動し、その通電制御や内部状態（点火動作）の出力機能などを有したスイッチング制御回路と組み合わせたハイブリッドＩＣ（ＨｙＩＣ）タイプ、或いは両者を同一半導体チップ内に組み込んだワンチップタイプ、或いはスイッチング制御回路をＩＣ化してＩＧＢＴチップと組み合わせたマルチチップタイプで構成されることが多い。
【０００３】
その様なイグナイタの内部回路構成例として、特許文献１および特許文献２に示す構成が知られている。
イグナイタの内部状態を示す出力機能として、トランジスタに流れる電流（点火コイルの通電状態）を検出して出力する例を、図１１のブロック図を使って説明する。この図では、イグナイタ１、電子制御ユニット２（ＥＣＵ）、点火コイル３、点火プラグ４および電源バッテリー５（ＶＢ）のそれぞれの接続関係を示す。
【０００４】
前記のイグナイタ１の各端子において、グランド端子Ｇは接地電位（０Ｖ）となり、スイッチング入力端子Ｓの電圧はＶｓ、コイル電流検出用の出力端子Ｆの電圧はＶｆｏ、バッテリー端子Ｂの電圧はＶＢ、コイル駆動端子Ｃを流れる一次電流はＩｃである。この出力端子Ｆは、一次電流Ｉｃが確実に流れているかを診断するための電圧Ｖｆｏ（Ｌレベルの電圧パルス）を発生させるための端子である。
【０００５】
イグナイタ１は、スイッチング制御回路１１、コイル駆動用トランジスタであるセンスＩＧＢＴ１２、抵抗１３、Ｆ出力トランジスタであるＭＯＳＦＥＴ１４、コンパレータ１５，１６、エクスクルシブＯＲ回路１７で構成される。Ｆ出力トランジスタとは、出力端子Ｆから電圧Ｖｆｏを出力するためのトランジスタのことである。
【０００６】
図１２はイグナイタ１の動作を説明する各部の電圧・電流波形である。図１１、図１２を使って概略動作を説明する。電源バッテリー５によって動作するスイッチング制御回路１１に電子制御ユニット２からスイッチング入力端子Ｓにコイル駆動を指示する信号電圧である電圧Ｖｓが印加される。そうすると、スイッチング制御回路１１から出力される出力電圧Ｖｇ（ゲート電圧）でセンスＩＧＢＴ１２をオン駆動して点火コイル３に一次電流Ｉｃが流れる。
【０００７】
一次電流Ｉｃの数％以下の電流を出力するセンスＩＧＢＴ１２のセンス端子１２ａに抵抗１３（センス抵抗と称することもある）が接続されているのでセンス電圧Ｖｓｎｓが発生する。そのセンス電圧Ｖｓｎｓをコンパレータ１５、１６を使ってそれぞれ基準電圧ＶＨ、ＶＬと比較する。
【０００８】
前記のセンス電圧Ｖｓｎｓが基準電圧ＶＬ未満では、コンパレータ１５，１６の出力信号は共にＬレベルでありエクスクルシブルＯＲ回路１７の出力信号はＬレベルとなる。そのため、Ｆ出力トランジスタであるＭＯＳＦＥＴ１４はオフ状態となり、出力端子Ｆの電圧ＶｆｏはＨレベルとなる。またセンス電圧Ｖｓｎｓが基準電圧ＶＬと基準電圧ＶＨの間にある場合はコンパレータ１６の出力信号はＨレベルとなり、コンパレータ１５の出力信号はＬレベルとなる。そのため、エクスクルシブルＯＲ回路１７の出力信号はＨレベルとなり、Ｆ出力トランジスタであるＭＯＳＦＥＴ１４はオン状態となり、出力端子（Ｆ端子）の電圧ＶｆｏはＬレベルとなる。さらに、センス電圧Ｖｓｎｓが基準電圧ＶＨを超えると、コンパレータ１５，１６の出力信号は共にＨレベルとなる。そのため、エクスクルシブルＯＲ回路１７の出力信号はＬレベルとなり、ＭＯＳＦＥＴ１４はオフ状態に戻り、出力端子Ｆの電圧ＶｆｏはＨレベルに戻る。
【０００９】
一次電流Ｉｃの立ち上がり期間、つまりセンス電圧Ｖｓｎｓの立ち上がり期間でＦ出力トランジスタであるＭＯＳＦＥＴ１４がオンすることで、出力端子Ｆの電圧ＶｆｏはＬレベルの電圧パルスが生成し、ＭＯＳＦＥＴ１４がオフすることでＨレベルの電圧が出力される。このＬレベルの電圧パルス、つまり出力端子Ｆの電圧ＶｆｏがＬレベルの電圧パルスになることで、電子制御ユニット２は、一次電流Ｉｃの発生を認識して、イグナイタ１の点火タイミングを診断し、点火プラグを点火させる。
【００１０】
この点火タイミングの診断を高精度に行なうためには、出力端子Ｆの電圧Ｖｆｏの落ち込み期間、つまり、Ｌレベルの電圧パルスのパルス幅Ｗを高精度にする必要がある。
前記のスイッチング制御回路１１は、センスＩＧＢＴ１２のスイッチング制御機能の他に、ノイズ除去用のディレイ制御機能や、センス電圧Ｖｓｎｓを使ってＶｇのレベルを低下させて一次電流Ｉｃをクランプ（図１２の波形）し点火コイル３の焼損を防ぐ機能、Ｖｓ印加時間を監視し一定時間経過後に遮断するタイマー機能、などを有している。このＶｓが遮断されることで点火プラグの点火が行なわれる。
【００１１】
前記の出力端子Ｆの電圧Ｖｆｏの電圧パルスを受けて、電子制御ユニット２から出力されるスイッチング入力端子Ｓの電圧Ｖｓの期間を制御しているので、点火プラグ４の点火を高精度で行なうためには、出力端子Ｆの電圧Ｖｆｏの電圧パルスのパルス幅Ｗには高い精度が要求される。
【００１２】
また、センスＩＧＢＴ１２を使用せず、３端子（コレクタ・エミッタ・ゲート）の通常のＩＧＢＴを使う場合は、エミッタ端子とグランド端子間に低インピーダンスの抵抗を接続して、同様にセンス電圧Ｖｓｎｓを生成し、同様の制御ができる。
【００１３】
さらに、特許文献３には、イグナイタについて、電気信号を検出する際のノイズによる誤動作を防止する方法として検出しきい値にヒステリシスをもたせる方法が開示されている。
【先行技術文献】
【特許文献】
【００１４】
【特許文献１】特開平１１−２０１０１３公報  図１
【特許文献２】特開２００８−２３９２号公報  図２
【特許文献３】特開平１−１０４９８０号公報
【発明の概要】
【発明が解決しようとする課題】
【００１５】
前記の図１１に示すように、イグナイタ１の内部回路はグランド端子Ｇを基準に動作している。内部回路の過渡電流がグランド端子Ｇとの間を流れ、その間のインピーダンス成分によって生じる過渡電圧によって、スイッチング制御回路１１、抵抗１３、コンパレータ１５、１６の基準電位も変動することがある。
【００１６】
この基準電位の変動はそのままグランド端子Ｇを基準にして観測した回路各部の信号線においてもノイズ成分として重畳する。
この基準電圧を変動させる大きな要因として、Ｆ出力トランジスタであるＭＯＳＦＥＴ１４のオン・オフ動作がある。このＭＯＳＦＥＴ１４がオンすると制御電源ＶＣＣから数１００Ωの低い抵抗値の抵抗を介してグランド端子Ｇに大きな電流が流れる。制御電源ＶＣＣとグランドの間には浮遊インダクタンスと浮遊容量があるためＭＯＳＦＥＴ１４のオン・オフでグランド端子Ｇの電位が変動しグランド電位にノイズ成分が重畳する。グランド電位にノイズ成分が重畳されることで、図１２のようなセンス電圧Ｖｓｎｓ'の波形が現れる。そうすると、基準電圧ＶＨ、ＶＬとの比較動作によって、コンパレータ１５、１６の出力からはチャタリング状のパルスノイズが発生する。
【００１７】
このチャタリング状のパルスノイズが発生すると、このパルスノイズがエクスクルシブＯＲ回路１７、Ｆ出力トランジスタであるＭＯＳＦＥＴ１４を伝達して、図１２のような出力端子の電圧Ｖｆｏ'の波形になる。そうすると、Ｌレベルの電圧パルスが出力される前後の立ち下がり、立ち上がりエッジ部においてＬレベルの電圧パルスにチャタリング状のパルスノイズが発生する。このパルスノイズが重畳されると、Ｌレベルの電圧パルス（Ｌｏｗパルス）の落ち込み期間（パルス幅Ｗ）がパルス幅Ｗ'に狭まる。この狭いパルス幅Ｗ'の電圧パルスが電子制御ユニット２に入力されると、電子制御ユニット２はイグナイタ１の点火タイミングを誤って診断して、点火プラグは高精度な点火が行なわれなくなる。つまり、点火タイミングについて電子制御ユニット２による誤診断が発生する。
【００１８】
前記の特許文献１〜３には、点火コイルに通電する電流がオン・オフ制御され、点火状態を外部に出力する出力端子を備えた内燃機関用点火装置において、前記点火コイルに流れる電流の立ち上がり時に重畳されるノイズが発生した場合でも、ヒステリシス特性を有する比較手段（ヒステリシスコンパレータ）を用いることで点火タイミングの誤診断を防止することについては記載されていない。
【００１９】
この発明の目的は、前記の課題を解決して、点火コイルに流れる電流の立ち上がり時に重畳されるノイズが発生した場合でも点火タイミングを正しく高精度に診断して、点火を高精度に行なうことができる内燃機関用点火装置を提供することにある。
【課題を解決するための手段】
【００２０】
前記の目的を達成するために、特許請求の範囲の請求項１に記載の発明によれば、点火コイルに通電する電流を制御信号を受けてスイッチング素子によりオン・オフ制御し、前記点火コイルの点火状態を外部に出力する出力端子を備えた内燃機関用点火装置において、前記電流を電圧に変換する電圧変換手段と、ここで前記変換された電圧をセンス電圧と呼び、立ち上がり時の前記センス電圧を検出する第１検出基準電圧と該第１の検出基準電圧より低い電圧の第１復帰基準電圧の二つの基準電圧を有し前記センス電圧と前記二つの基準電圧のそれぞれと比較して第１出力信号を出力するヒステリシス特性を有する第１比較手段と、立ち上がり時の前記センス電圧を検出する第２検出基準電圧と該第２の検出基準電圧より低く前記第１検出基準電圧より高い電圧の第２復帰基準電圧の二つの基準電圧を有し前記センス電圧と前記二つの基準電圧のそれぞれと比較して第２出力信号を出力するヒステリシス特性を有する第２比較手段と、前記第１比較手段から出力される前記第１出力信号と前記第２比較手段から出力される第２出力信号が共に入力され第３出力信号を出力する出力手段と、該出力手段から出力される第３出力信号によって前記出力端子の電圧オン・オフを制御するスイッチ手段と、を有する構成とする。
【００２１】
また、特許請求の範囲の請求項２に記載の発明によれば、請求項１に記載の発明において、前記第１比較手段が第１ヒステリシスコンパレータからなり、該第１ヒステリシスコンパレータが、第１コンパレータと、該第１コンパレータの出力が入力される第１インバータと、該第１インバータの出力が入力される第２インバータと、前記第１検出基準電圧を前記第１コンパレータのマイナス端子に接続する第１アナログスイッチと、前記第１復帰基準電圧を前記第１コンパレータのマイナス端子に接続する第２アナログスイッチとをそれぞれ有し、前記第１コンパレータのプラス端子に前記センス電圧を入力し、前記第１インバータの出力信号で前記第１アナログスイッチをオン・オフ動作させ、前記第２インバータの出力信号で前記第２アナログスイッチをオン・オフ動作させ、前記第１アナログスイッチのオン・オフ動作と前記第２アナログスイッチのオン・オフ動作が逆相関係にあり、前記センス電圧が前記第１復帰基準電圧より低い時に前記第１のアナログスイッチはオン状態であるとよい。
【００２２】
また、特許請求の範囲の請求項３に記載の発明によれば、請求項１に記載の発明において、前記第２比較手段が第２ヒステリシスコンパレータからなり、該第２ヒステリシスコンパレータが、第２コンパレータと、該第２コンパレータの出力が入力される第３インバータと、該第３インバータの出力が入力される第４インバータと、前記第２検出基準電圧を前記第２コンパレータのマイナス端子に接続する第３アナログスイッチと、前記第２復帰基準電圧を前記第２コンパレータのマイナス端子に接続する第４アナログスイッチとをそれぞれ有し、前記第２コンパレータのプラス端子に前記センス電圧を入力し、前記第３インバータの出力信号で前記第３アナログスイッチをオン・オフ動作させ、前記第４インバータの出力信号で前記第４アナログスイッチをオン・オフ動作させ、前記第３アナログスイッチのオン・オフ動作と前記第４アナログスイッチのオン・オフ動作が逆相関係にあり、前記センス電圧が前記第２復帰基準電圧より低い時に前記第３のアナログスイッチはオン状態であるとよい。
【００２３】
また、特許請求の範囲の請求項４に記載の発明によれば、請求項１から３のいずれか一項に記載の発明において、前記電圧変換手段が抵抗であり、前記出力手段が前記第１比較手段から出力される前記第１出力信号と前記第２比較手段から出力される前記第２出力信号の排他的論理和を出力するエクスクルシブＯＲ回路であり、前記スイッチ手段がＭＯＳＦＥＴであるとよい。
【００２４】
また、特許請求の範囲の請求項５に記載の発明によれば、請求項１に記載の発明において、前記第１および第２比較手段が、第１および第２ヒステリシスコンパレータからなり、前記第１ヒステリシスコンパレータが、第１コンパレータと、該第１コンパレータの出力信号が入力される第１インバータと、該第１インバータの出力信号が入力される第２インバータと、前記第１検出基準電圧を前記第１コンパレータのマイナス端子に接続する第１アナログスイッチと、前記第１復帰基準電圧を前記第１コンパレータのマイナス端子に接続する第２アナログスイッチと、前記第２ヒステリシスコンパレータが、第２コンパレータと、該第２コンパレータの出力信号が入力される第３インバータと、該第３インバータの出力信号が入力される第４インバータと、前記第２検出基準電圧を前記第２コンパレータのマイナス端子に接続する第３アナログスイッチと、前記第２復帰基準電圧を前記第２コンパレータのマイナス端子に接続する第４アナログスイッチと、をそれぞれ有し、前記第１コンパレータのプラス端子に前記センス電圧を入力し、前記第１インバータの出力信号で前記第１アナログスイッチをオン・オフ動作させ、前記第２インバータの出力信号で前記第２アナログスイッチをオン・オフ動作させ、前記第１アナログスイッチのオン・オフ動作と前記第２アナログスイッチのオン・オフ動作が逆相関係にあり、前記センス電圧が前記第１復帰基準電圧より低い時に前記第１のアナログスイッチはオン状態であり、前記第２コンパレータのプラス端子に前記センス電圧を入力し、前記第３インバータの出力信号で前記第３アナログスイッチをオン・オフ動作させ、前記第４インバータの出力信号で前記第４アナログスイッチをオン・オフ動作させ、前記第３アナログスイッチのオン・オフ動作と前記第４アナログスイッチのオン・オフ動作が逆相関係にあり、前記センス電圧が前記第２復帰基準電圧より低い時に前記第３のアナログスイッチはオン状態であり、前記第１検出基準電圧と前記第２復帰基準電圧を同一にするとよい。
【００２５】
また、特許請求の範囲の請求項６に記載の発明によれば、請求項１に記載の発明において、前記第２比較手段が前記請求項３に記載の第２比較手段であり、前記第１比較手段が、二つのマイナス入力を切り替えて比較に使う反転入力切替型コンパレータと、該反転入力切替型コンパレータに切替信号を送信し、前記第２ヒステリシスコンパレータの出力信号と前記反転入力切替型コンパレータの出力信号が共に入力され、前記点火コイルの電流を制御するスイッチング素子をオン・オフさせる制御信号と同期する信号が入力される反転入力切替制御回路からなり、前記反転入力切替型コンパレータの検出基準電圧が前記第１検出基準電圧であり、前記反転入力切替型コンパレータの復帰基準電圧がグランド電位であるとよい。
【００２６】
また、特許請求の範囲の請求項７に記載の発明によれば、請求項１に記載の発明において、前記第２比較手段が前記請求項３に記載の第２比較手段であり、前記第１比較手段が前記請求項６に記載の第１比較手段であり、前記第１比較手段を構成する前記反転入力切替型コンパレータの検出基準電圧と前記第２ヒステリシスコンパレータの前記第２復帰基準電圧を同一にし、前記反転入力切替型コンパレータの前記復帰基準電圧をグランド電位にするとよい。
【００２７】
また、特許請求の範囲の請求項８に記載の発明によれば、請求項６または7に記載の発明において、前記反転入力切替型コンパレータが、第３コンパレータと、該第３コンパレータの出力信号が入力される第５インバータと、該第５インバータの出力信号が入力される第６インバータと、前記第１検出基準電圧を前記第３コンパレータのマイナス端子に接続する第５アナログスイッチと、前記第１復帰基準電圧を前記第３コンパレータのマイナス端子に接続する第６アナログスイッチとをそれぞれ有し、前記第３コンパレータのプラス端子に前記センス電圧を入力し、前記反転入力切替制御回路の出力信号で前記第５アナログスイッチをオン・オフ動作させ、前記反転入力切替制御回路の出力信号を第７インバータによって反転した信号で前記第６アナログスイッチをオン・オフ動作させ、前記第５アナログスイッチのオン・オフ動作と前記第６アナログスイッチのオン・オフ動作が逆相関係にあり、前記センス電圧がグランド電位である時に前記第５のアナログスイッチはオン状態であるとよい。
【００２８】
また、特許請求の範囲の請求項９に記載の発明によれば、請求項６乃至８に記載の発明において、前記反転入力切替制御回路が、インバータ回路、ＡＮＤ回路およびＯＲ回路からなる論理回路であるとよい。
【００２９】
また、特許請求の範囲の請求項１０に記載の発明によれば、請求項１に記載の発明において、前記第１比較手段が、第３ヒステリシスコンパレータからなり、該第３ヒステリシスコンパレータが、第４コンパレータと、該第４コンパレータの出力信号が入力される第７インバータと、該第７インバータの出力信号が入力される第８インバータと、前記第１検出基準電圧を前記第４コンパレータのプラス端子に接続する第７アナログスイッチと、前記第２復帰基準電圧を前記第４コンパレータのプラス端子に接続する第８アナログスイッチとをそれぞれ有し、前記第４コンパレータのマイナス端子に前記センス電圧を入力し、前記第８インバータの出力信号で前記第７アナログスイッチをオン・オフ動作させ、前記第７インバータの出力信号で前記第８アナログスイッチをオン・オフ動作させ、前記第７アナログスイッチのオン・オフ動作と前記第８アナログスイッチのオン・オフ動作が逆相関係にあり、前記センス電圧が前記第２復帰基準電圧より低い時に前記第７アナログスイッチはオン状態であり、前記出力手段が、ＮＯＲ回路であるとよい。
【発明の効果】
【００３０】
この発明によれば、コイル電流など内部状態を検出するための出力端子Ｆを備えた内燃機関用点火装置（イグナイタ）において、コイル電流（センス電圧）の立ち上がり時にノイズが重畳されても、ヒステリシス特性を有する比較手段（ヒステリシスコンパレータ）を用いることによって、出力端子Ｆの電圧Ｖｆｏ（Ｌレベルの電圧パルス）の立ち下がり、立ち上がりエッジ部に、チャタリング状のパルスノイズが発生するのを防止できる。そのため、ノイズの影響を受けずに電子制御ユニットに正しいＬレベルの電圧パルス（高精度なパルス幅）が伝達されて、点火タイミングを正しく高精度に診断することができる。
【図面の簡単な説明】
【００３１】
【図１】この発明の第１実施例の内燃機関用点火装置のブロック図である。
【図２】ヒステリシスコンパレータ１５ａ，１６ａの内部回路と入出力伝達特性を示し、（ａ）はヒステリシスコンパレータ１５ａ、１６ａの内部回路図、（ｂ）はその入出力伝達特性図である。
【図３】図１の動作を説明する各部の電圧・電流波形図である。
【図４】この発明の第２実施例の内燃機関用点火装置のブロック図である。
【図５】図４の内燃機関用点火装置の動作波形図である。
【図６】この発明の第３実施例の内燃機関用点火装置のブロック図である。
【図７】反転入力切替型コンパレータ１９の内部回路と入出力動作波形を示し、（ａ）は内部回路図、（ｂ）はその入出力動作波形の代表例を示す図である。
【図８】図６の動作を説明する各部の電圧・電流波形図である。
【図９】この発明の第４実施例の内燃機関用点火装置のブロック図である。
【図１０】図９の内燃機関用点火装置の動作波形図である。
【図１１】従来の内燃機関用点火装置のブロック図である。
【図１２】図１１の内燃機関用点火装置の動作波形図である。
【図１３】反転入力切替制御回路１８の内部回路図である。
【図１４】この発明の第５実施例の内燃機関用点火装置のブロック図である。
【図１５】ヒステリシスコンパレータ１６ｂの内部回路と入出力伝達特性を示し、（ａ）はヒステリシスコンパレータ１６ｂの内部回路図、（ｂ）はその入出力伝達特性図である。
【発明を実施するための形態】
【００３２】
実施の形態を以下の実施例で説明する。以下の説明では従来技術と同様の部分については説明を簡略にし本発明に関する技術的内容を詳しく説明する。
＜実施例１＞
図１は、この発明の第１実施例の内燃機関用点火装置のブロック図である。内燃機関用点火装置（イグナイタ）１ａは、図１１のコンパレータ１５、１６をそれぞれヒステリシスコンパレータ１５ａ、１６ａに置き換えた構成で、それ以外の要素は図１１と同じものである。
【００３３】
ヒステリシスコンパレータ１５ａはセンス電圧Ｖｓｎｓの立ち上がり領域の高い電圧領域でのチャタリング状のパルスノイズを防止し、ヒステリシスコンパレータ１６ａはセンス電圧Ｖｓｎｓの立ち上がり領域の低い電圧領域でのチャタリング状のパルスノイズを防止する。ヒステリシスコンパレータ１５ａの検出側レベルは検出基準電圧ＶＨ、復帰側レベルは復帰基準電圧ＶＨＬである。また、ヒステリシスコンパレータ１６ａの検出側レベルは検出基準電圧ＶＬ、復帰側レベルは復帰基準電圧ＶＬＬである。これらの大小関係は、検出基準電圧ＶＨ＞復帰基準電圧ＶＨＬ＞検出基準電圧ＶＬ＞復帰基準電圧ＶＬＬである。尚、ヒステリシスコンパレータとは検出基準電圧とこの検出基準電圧より低い電圧の復帰基準電圧を持ちヒステリシス特性を有するコンパレータのことである。また、センス電圧Ｖｓｎｓや各基準電圧はグランド電位を基準とした電圧である。
【００３４】
図２は、ヒステリシスコンパレータ１５ａ，１６ａの内部回路と入出力伝達特性を示し、同図（ａ）はヒステリシスコンパレータ１５ａ、１６ａの内部回路図、同図（ｂ）はその入出力伝達特性図である。尚、ヒステリシスコンパレータ１５ａ、１６ａの内部回路は共に同じである。
【００３５】
図２（ａ）において、ヒステリシスコンパレータ１５ａ,１６ａは、コンパレータ２１と、このコンパレータ２１の出力信号（出力電圧）が入力されるインバータ２２と、このインバータ２２の出力信号が入力されるインバータ２３を備える。また、検出基準電圧となる比較電圧Ｖ１をコンパレータ２１のマイナス端子に接続するアナログスイッチ２４と、復帰基準電圧となる比較電圧Ｖ２をコンパレータ２１のマイナス端子に接続するアナログスイッチ２５とを備える。コンパレータ２１のプラス端子に前記センス電圧Ｖｓｎｓを入力し、インバータ２２の出力信号でアナログスイッチ２４をオン・オフ動作させ、インバータ２３の出力信号でアナログスイッチ２５をオン・オフ動作させ、アナログスイッチ２４，２５のオン・オフ動作を逆相関係にする。アナログスイッチ２４、２５は共に、図２に図示するようにスイッチ切替信号がＨｉｇｈの場合にＯＮとなり、スイッチ切替信号がＬｏｗの場合にＯＦＦとなる。すなわちヒステリシスコンパレータ１５ａも１６ａもともに、図２におけるＶＩＮ入力電圧が比較電圧Ｖ２より低い場合にはアナログスイッチ２４がオン状態である。
【００３６】
図２（ｂ）において、センス電圧Ｖｓｎｓである入力電圧ＶＩＮが上昇して比較電圧Ｖ１を超えると、ヒステリシスコンパレータ１５ａ，１６ａの出力信号ＶＯＵＴはそれぞれＬレベル（低レベル）からＨレベル（高レベル）へ切り替る。一方、センス電圧Ｖｓｎｓである入力電圧ＶＩＮが低下して、比較電圧Ｖ２未満になると、ヒステリシスコンパレータ１５ａ，１６ａの出力信号である出力信号ＶＯＵＴ（出力電圧）はそれぞれＨレベルからＬレベルへ切り替る。つまり、比較電圧Ｖ１と比較電圧Ｖ２の間ではヒステリシス動作をする。
【００３７】
図１および図２を用いてさらに動作を説明する。センス電圧Ｖｓｎｓである入力電圧ＶＩＮが比較電圧Ｖ１、Ｖ２より低い、即ち入力電圧ＶＩＮ＜比較電圧Ｖ２＜比較電圧Ｖ１の場合は、コンパレータ２１の出力信号がＬレベル、インバータ２２の出力信号がＨレベル、インバータ２３の出力信号である出力信号ＶＯＵＴがＬレベルとなる。そのため、アナログスイッチ２４、２５はぞれぞれオン・オフの状態にあり、従って、この時コンパレータ２１は入力電圧ＶＩＮと比較電圧Ｖ１で比較動作している。
【００３８】
入力電圧ＶＩＮが比較電圧Ｖ１を検出した直後、即ち比較電圧Ｖ１＜入力電圧ＶＩＮの場合は、出力信号ＶＯＵＴがＬレベルからＨレベルに反転する。これを検出側の比較動作と称し、比較電圧Ｖ１は検出基準電圧（ＶＨ，ＶＬ）に相当する。
【００３９】
尚、この時コンパレータ２１は入力電圧ＶＩＮと比較電圧Ｖ２との比較動作に切り替わっている。
反対に、この出力信号ＶＯＵＴがＨレベルからＬレベルに反転する方向では、これを復帰側の比較動作と称し、比較電圧Ｖ２は復帰基準電圧（ＶＨＬ、ＶＬＬ）に相当する。尚、ヒステリシスコンパレータ１５ａ、１６ａと同様の入出力伝達特性が得られれば、必ずしもこの内部構成にはこだわらない。
【００４０】
図３は、図１の動作を説明する各部の電圧・電流波形図である。コイル電流（一次電流Ｉｃ）に対応したセンス電圧Ｖｓｎｓの立ち上がりの低い電圧領域を、ヒステリシスコンパレータ１６ａは最初に検出基準電圧ＶＬと比較し、その出力信号がＬレベルからＨレベルに反転した直後は、センス電圧Ｖｓｎｓに重畳するノイズがΔ１＝検出基準電圧ＶＬ−復帰基準電圧ＶＬＬのヒステリシス幅の範囲内でヒステリシスコンパレータ１６ａは応答することなくＨレベルの出力を維持する。
【００４１】
そのため、この時ヒステリシスコンパレータ１５ａの出力信号はＬレベルのままなのでエクスクルシブＯＲ回路１７の出力信号はＬレベルからＨレベルに反転し維持する。また、Ｆ出力トランジスタであるＭＯＳＦＥＴ１４はオフ状態からオン状態に切り替わり維持する。その結果、出力端子Ｆの電圧ＶｆｏはＬレベルを維持し、Ｌレベルの電圧パルスの立ち下がりエッジ部において、チャタリング状のパルスノイズが発生することはない。
【００４２】
次に、センス電圧Ｖｓｎｓの立ち上がりの高い電圧領域では、センス電圧Ｖｓｎｓをヒステリシスコンパレータ１５ａで最初に検出基準電圧ＶＨと比較する。その出力信号がＬレベルからＨレベルに反転した直後は、センス電圧Ｖｓｎｓに重畳するノイズがΔ２＝検出基準電圧ＶＨ−復帰基準電圧ＶＨＬのヒステリシス幅の範囲内ではヒステリシスコンパレータ１５ａは応答することがなくＨレベルの出力を維持する。この時ヒステリシスコンパレータ１６ａの出力信号はＨレベルのままである。そのため、エクスクルシフＯＲ回路１７の出力信号はＨレベルからＬレベルに反転し維持する。また、Ｆ出力トランジスタであるＭＯＳＦＥＴ１４はオン状態からオフ状態に切り替わり維持する。その結果、出力端子Ｆの電圧ＶｆｏはＨレベルを維持し、Ｌレベルの電圧パルスの立ち上がりエッジ部において、チャタリング状のパルスノイズが発生することはない。
【００４３】
従って、センス電圧Ｖｓｎｓの立ち上がり時にノイズが重畳しても、出力端子Ｆの電圧ＶｆｏであるＬレベルの電圧パルスの立ち上がり立ち下がりエッジ部にチャタリング状のパルスノイズが重畳することはない。そのため、点火プラグ４の点火タイミングが正しく高精度に診断できるので、正しく高精度な点火を行なうことができる。
＜実施例２＞
図４は、この発明の第２実施例の内燃機関用点火装置のブロック図である。
【００４４】
図５は、図４の内燃機関用点火装置の動作波形図である。
イグナイタ１ｂは、図１と同じ記号の各要素から構成されているが、ヒステリシスコンパレータ１６ａの検出側のレベルの検出基準電圧ＶＬを、ヒステリシスコンパレータ１５ａの復帰側のレベルの復帰基準電圧としても兼用している。この他の構成は実施例１と同様である。
【００４５】
従って、ヒステリシスコンパレータ１５ａのヒステリシス幅はΔ３＝検出基準電圧ＶＨ−検出基準電圧ＶＬとなり、ヒステリシスコンパレータ１５ａのためだけの復帰基準電圧が不要となり、さらに図１のヒステリシスコンパレータ１５ａのヒステリシス幅よりも広いノイズマージンを得ることができる。
【００４６】
その結果、センス電圧Ｖｓｎｓの立ち上がりの高い電圧領域に重畳するノイズが大きい場合でも点火タイミングを正しく高精度に診断することができる。
＜実施例３＞
図６は、この発明の第３実施例の内燃機関用点火装置のブロック図である。イグナイタ１ｃは、図１のヒステリシスコンパレータ１６ａを反転入力切替型コンパレータ１９に置き換え、反転入力切替型コンパレータ１９を制御する反転入力切替制御回路１８を追加している。図１３は反転入力切替制御回路１８の内部回路図であり、表１は反転入力切替制御回路１８の真理値表である。
【００４７】
【表１】
0005838776.tif 000002
【００４８】
反転入力切替制御回路１８の入力信号はヒステリシスコンパレータ１５ａと反転入力切替型コンパレータ１９の出力信号とスイッチング制御回路１１の出力電圧Ｖｇに同期したＯＮ／ＯＦＦ信号（センスＩＧＢＴのオン・オフに同期する）であり、インバータ３１、３２、３６、ＡＮＤ回路３３、３４、３７、ＯＲ回路３５、３８から成る組合せ論理で出力信号ＶＣＴＬを得る。
【００４９】
電源投入直後の初期状態では、ＯＮ／ＯＦＦ信号はＬレベルとなるＯＦＦ信号が反転入力切替制御回路１８に入力される。この初期状態ではヒステリシスコンパレータ１５ａの出力信号と、反転入力切替型コンパレータ１９の出力信号に関係なく、反転入力切替制御回路１８の出力信号ＶＣＴＬはＨレベルとなる。この出力信号ＶＣＴＬが、反転入力切替型コンパレータ１９の反転入力基準電圧ＶＬ、接地電位基準電圧（ＶＬＬ＝ＧＮＤ）の何れかを選択する制御信号となる。ヒステリシスコンパレータ１５ａの構成と動作は実施例１の場合と同様である。
【００５０】
図７は、反転入力切替型コンパレータ１９の内部回路と入出力動作波形を示し、同図（ａ）は内部回路図、同図（ｂ）はその入出力動作波形の代表例を示す図である。図２（ａ）のヒステリシスコンパレータ１５ａ、１６ａとの違いは、インバータ２２、２３の出力信号でそれぞれのアナログスイッチ２４、２５のオン・オフ制御をしていたものを、出力信号ＶＣＴＬとインバータ２６の出力信号でそれぞれアナログスイッチ２４、２５のオン・オフ制御するように変えたものである。アナログスイッチ２４、２５は共に、図７に図示するようにスイッチ切替信号がＨｉｇｈの場合にＯＮとなり、スイッチ切替信号がＬｏｗの場合にＯＦＦとなる。
【００５１】
従って、反転入力切替制御回路１８の出力信号であり、反転入力切替型コンパレータ１９の入力信号であるＶＣＴＬがＨレベルの期間では、比較電圧Ｖ１が選択されて入力電圧ＶＩＮ（センス電圧Ｖｓｎｓに相当する）との比較に使われ、出力信号ＶＣＴＬがＬレベルの期間では比較電圧Ｖ２が選択されて入力電圧ＶＩＮとの比較に使われる。尚、電源投入直後の初期状態は、前述の通り反転入力切替制御回路１８の出力信号ＶＣＴＬはＨレベルとなり、比較電圧Ｖ１が選択されるよう構成されている。
【００５２】
図８は図６の動作を説明する各部の電圧・電流波形図である。一次電流Ｉｃに対応したセンス電圧Ｖｓｎｓの立ち上がりの低い電圧領域では、反転入力切替型コンパレータ１９は最初にセンス電圧Ｖｓｎｓを検出基準電圧ＶＬと比較し、その出力電圧がＬレベルからＨレベルに反転する。ヒステリシスコンパレータ１５ａの出力信号はＬレベルのままなので、反転入力切替制御回路１８の出力信号ＶＣＴＬはＨレベルからＬレベルに反転し、反転入力切替型コンパレータ１９内のコンパレータ２１のマイナス入力は検出基準電圧ＶＬからＧＮＤレベルに切り替わる。センス電圧Ｖｓｎｓに重畳するノイズがΔ４＝検出基準電圧ＶＬ−ＧＮＤのヒステリシス幅の範囲内では、反転入力切替型コンパレータ１９は応答することなくＨレベルの出力を維持する。
【００５３】
そのため、この時エクスクルシブＯＲ回路１７の出力信号はＬレベルからＨレベルに反転し維持する。また、Ｆ出力トランジスタ１４はオフ状態からオン状態に切り替わり維持する。その結果、出力端子Ｆの電圧ＶｆｏはＬレベルを維持し、Ｌレベルの電圧パルスの立ち下がりエッジ部において、チャタリング状のパルスノイズは発生することがない。
【００５４】
次に、センス電圧Ｖｓｎｓの立ち上がりの高い電圧領域では、ヒステリシスコンパレータ１５ａは最初にセンス電圧Ｖｓｎｓと検出基準電圧ＶＨと比較し、その出力信号がＬレベルからＨレベルに反転する。反転入力切替型コンパレータ１９の出力信号はＨレベルのままなので、反転入力切替制御回路１８の出力信号ＶＣＴＬはＬレベルからＨレベルに反転し、反転入力切替型コンパレータ１９内のコンパレータ２１のマイナス入力はＧＮＤから検出基準電圧ＶＬに切り替わる。センス電圧Ｖｓｎｓに重畳するノイズがΔ２のヒステリシス幅の範囲内ではヒステリシスコンパレータ１５ａは応答することなくＨレベルの出力を維持する。この時エクスクルシブＯＲ回路１７の出力電圧はＨレベルからＬレベルに反転し維持する。また、Ｆ出力トランジスタであるＭＯＳＦＥＴ１４はオン状態からオフ状態に切り替わり維持する。その結果、出力端子Ｆの電圧ＶｆｏはＨレベルを維持し、Ｌレベルの電圧パルスの立ち上がりエッジ部において、チャタリング状のパルスノイズは発生することがない。
【００５５】
ここでは、反転入力切替制御回路１８の出力信号ＶＣＴＬがＬレベルの期間だけ、反転入力切替型コンパレータ１９のヒステリシス幅をΔ４とすることで、図１のヒステリシスコンパレータ１６ａより広いノイズマージンを得ることができる。
【００５６】
その結果、センス電圧Ｖｓｎｓの立ち上がりの低い電圧領域に重畳するノイズが大きい場合でも点火タイミングを正しく高精度に診断することができる。
＜実施例４＞
図９は、この発明の第４実施例の内燃機関用点火装置のブロック図である。
【００５７】
図１０は、図９の内燃機関用点火装置の動作波形図である。
イグナイタ１ｄは、図６と同じ記号の各要素から構成されているが、反転入力切替型コンパレータ１９の反転入力の高電位側のレベルである検出基準電圧ＶＬを、ヒステリシスコンパレータ１５ａの復帰側のレベルの復帰基準電圧としても兼用している。従って、ヒステリシスコンパレータ１５ａのヒステリシス幅はΔ３となり、ヒステリシスコンパレータ１５ａのためだけの復帰基準電圧が不要となり、さらに図６のヒステリシスコンパレータ１５ａのヒステリシス幅よりも広いノイズマージンを得ることができる。
【００５８】
その結果、センス電圧Ｖｓｎｓの立ち上がりの高い電圧領域に重畳するノイズが大きい場合でも点火タイミングを正しく高精度に診断することができる。
＜実施例５＞
図１４は、この発明の第５実施例の内燃機関用点火装置のブロック図である。
【００５９】
図１５は、ヒステリシスコンパレータ１６ｂの内部回路と入出力伝達特性を示し、同図（ａ）はヒステリシスコンパレータ１６ｂの内部回路図、同図（ｂ）はその入出力伝達特性図である。
【００６０】
図１４のイグナイタ１ｅと図１のイグナイタ１ａとの違いは、ヒステリシスコンパレータ１６ａをヒステリシスコンパレータ１６ｂに替え、エクスクルシブＯＲ回路１７をＮＯＲ回路１７ａに替え、ヒステリシスコンパレータ１６ｂのマイナス端子にセンス電圧Ｖｓｎｓを入力し、２つのプラス端子に検出基準電圧ＶＬ，復帰基準電圧ＶＬＬを入力した点である。
【００６１】
各部の動作波形は図３と同じである。
図１４において、ヒステリシスコンパレータ１５ａの内部回路は図２（ａ）と同じであり、ヒステリシスコンパレータ１５ａのプラス端子にセンス電圧Ｖｓｎｓを入力する。ヒステリシスコンパレータ１５ａの２つのマイナス端子には比較電圧Ｖ１に相当する検出基準電圧ＶＨと比較電圧Ｖ２に相当する復帰基準電圧ＶＨＬを入力する。
【００６２】
また、ヒステリシスコンパレータ１６ｂのマイナス端子にセンス電圧Ｖｓｎｓを入力する。ヒステリシスコンパレータ１５ｂの２つのプラス端子には比較電圧Ｖ１に相当する検出基準電圧ＶＬと比較電圧Ｖ２に相当する復帰基準電圧ＶＬＬを入力する。
【００６３】
図１５（ａ）において、ヒステリシスコンパレータ１６ｂは、コンパレータ２１と、このコンパレータ２１の出力信号が入力されるインバータ２２と、このインバータ２２の出力信号が入力されるインバータ２３と、検出基準電圧ＶＬとなる比較電圧Ｖ１をコンパレータ２１のプラス端子に接続するアナログスイッチ２４と、復帰基準電圧ＶＬＬとなる比較電圧Ｖ２をコンパレータ２１のプラス端子に接続するアナログスイッチ２５とをそれぞれ有する。コンパレータ２１のマイナス端子に前記センス電圧Ｖｓｎｓを入力し、インバータ２２の出力信号でアナログスイッチ２５をオン・オフ動作させ、インバータ２３の出力信号でアナログスイッチ２４をオン・オフ動作させ、アナログスイッチ２４，２５のオン・オフ動作を逆相関係にする。アナログスイッチ２４、２５は共に、図１５（ａ）に図示するようにスイッチ切替信号がＨｉｇｈの場合にＯＮとなり、スイッチ切替信号がＬｏｗの場合にＯＦＦとなる。
【００６４】
図１５（ｂ）において、入力電圧ＶＩＮであるセンス電圧Ｖｓｎｓが上昇して比較電圧Ｖ１（検出基準電圧ＶＬ、ＶＨ）を超えると、図１４のヒステリシスコンパレータ１５ａの出力信号ＶＯＵＴはＬレベルからＨレベルに切り替る。一方、ヒステリシスコンパレータ１６ｂの出力信号ＶＯＵＴはＨレベルからＬレベルへ切り替る。
【００６５】
また、入力電圧ＶＩＮであるセンス電圧Ｖｓｎｓが低下して、比較電圧Ｖ２（復帰基準電圧ＶＨＬ、ＶＬＬ）未満になると、図１４のヒステリシスコンパレータ１５ａの出力信号ＶＯＵＴはＨレベルからＬレベルへ切り替る。一方、ヒステリシスコンパレータ１６ｂの出力信号ＶＯＵＴはＬレベルからＨレベルへ切り替る。つまり、比較電圧Ｖ１と比較電圧Ｖ２の間ではヒステリシス動作をする。
【００６６】
ヒステリシスコンパレータ１５ａの出力信号ＶＯＵＴとヒステリシスコンパレータ１６ｂの出力信号ＶＯＵＴをＮＯＲ回路１７ａに入力することで、ＮＯＲ回路１７ａの出力信号（電圧）波形は実施例１のエクスクルシブＯＲ回路１７の出力信号（電圧）波形と同じになる。
【００６７】
その結果、センス電圧Ｖｓｎｓの立ち上がり時にノイズが重畳しても、出力端子Ｆの電圧ＶｆｏでのＬレベルの電圧パルスの立ち上がり立ち下がりエッジ部にチャタリング状のパルスノイズが重畳することはない。そのため、点火プラグ４の点火タイミングが正しく高精度に診断できるので、正しく高精度な点火を行なうことができる。
【符号の説明】
【００６８】
１、１ａ、１ｂ、１ｃ、１ｄ、１ｅ  イグナイタ（内燃機関用点火装置）
２    電子制御ユニット（ＥＣＵ）
３    点火コイル
４    点火プラグ
５    電源バッテリー（ＶＢ）
１１    スイッチング制御回路
１２    センスＩＧＢＴ（コイル駆動用トランジスタ）
１２ａ  センス端子
１３    抵抗
１４    ＭＯＳＦＥＴ（Ｆ出力トランジスタ）
１５、１６、２１    コンパレータ
１５ａ、１６ａ、１６ｂ  ヒステリシスコンパレータ
１７    エクスクルシブＯＲ回路
１７ａ  ＮＯＲ回路
１８    反転入力切替制御回路
１９  反転入力切替型コンパレータ
２２、２３、２６、３１、３２、３６  インバータ
２４、２５  アナログスイッチ
３３、３４、３７  ＡＮＤ回路
３５、３８  ＯＲ回路
Ｂ    バッテリー端子
Ｓ    スイッチング入力端子
Ｆ    出力端子（コイル電流検出用）
Ｃ    コイル駆動端子
Ｇ    グランド端子
Ｖｓ  スイッチング入力端子Ｓの電圧
Ｖｆｏ  出力端子Ｆの電圧
ＶＬ  検出基準電圧（センス電圧Ｖｓｎｓの立ち上がりの低い電圧領域用）
ＶＬＬ  復帰基準電圧（センス電圧Ｖｓｎｓの立ち上がりの低い電圧領域用）
ＶＨ  検出基準電圧（センス電圧Ｖｓｎｓの立ち上がりの高い電圧領域用）
ＶＨＬ  復帰基準電圧（センス電圧Ｖｓｎｓの立ち上がりの高い電圧領域用）
Ｖｇ  ゲート電圧
Ｖｓｎｓ  センス電圧
Ｉｃ  点火コイル電流
ＶＯＵＴ  出力信号（出力電圧）
ＶＩＮ  入力電圧
Ｖ１、Ｖ２  比較電圧
ＶＣＣ  ＥＣＵ内部の制御電源
【図１】
0005838776.tif 000003
【図２】
0005838776.tif 000004
【図３】
0005838776.tif 000005
【図４】
0005838776.tif 000006
【図５】
0005838776.tif 000007
【図６】
0005838776.tif 000008
【図７】
0005838776.tif 000009
【図８】
0005838776.tif 000010
【図９】
0005838776.tif 000011
【図１０】
0005838776.tif 000012
【図１１】
0005838776.tif 000013
【図１２】
0005838776.tif 000014
【図１３】
0005838776.tif 000015
【図１４】
0005838776.tif 000016
【図１５】
0005838776.tif 000017